(57)【要約】【課題】遊技盤面上において装飾体を前後方向へ揺動させることによって遊技進行上特徴的な演出効果を発揮させることができる装飾体揺動ユニットを提供する。【解決手段】駆動モータ１６の駆動時に、従動ギヤ１８と何れか一方の扇型ギヤ片１７ａとが噛合している間は装飾体１２は弾性部材１９の付勢力に抗して前方へ定速移動し、噛合が解除されたときに弾性部材により装飾体は後方へ急速に退避するように付勢される。【選択図】図５
2008043459.tif 000002
【特許請求の範囲】
【請求項１】
揺動軸により基端部を前後方向へ揺動自在に軸支された装飾体と、駆動モータと、該駆動モータの出力軸により回転駆動される駆動ギヤと、前記装飾体に設けられ前記駆動ギヤから駆動力を伝達されることにより前記揺動軸を中心として該装飾体を揺動させる従動ギヤと、前記装飾体を後方へ弾性付勢する弾性部材と、を備え、
前記駆動ギヤは前記出力軸を中心として軸対称に配置された２つの扇型ギヤ片から成る蝶羽型ギヤであり、前記従動ギヤは前記駆動ギヤの回転時に前記各扇型ギヤ片と交互に噛合・離脱する円弧ギヤであり、
前記駆動モータの駆動時に、前記従動ギヤと何れか一方の前記扇型ギヤ片とが噛合している間は前記装飾体は前記弾性部材の付勢力に抗して前方へ定速移動し、前記噛合が解除されたときに前記弾性部材により前記装飾体は後方へ急速に退避するように付勢されることを特徴とする装飾体揺動ユニット。
【請求項２】
前記駆動モータを制御する制御手段と、前記装飾体が後方へ退避したことを検知するセンサを更に備え、
前記制御手段は、前記センサが装飾体の退避状態を検知したときに必要に応じて前記駆動モータの駆動を停止することを特徴とする請求項１に記載の装飾体揺動ユニット。
【請求項３】
前記装飾体の円弧状の外周縁の外方において、該外周縁との間に所定のギャップを隔てて前方へ庇状に突出した反射面を備え、
前記装飾体の後方には該装飾体の外周縁の輪郭に沿った配置にて複数のＬＥＤが配置され、前記装飾体が前後方向へ揺動動作する間に各ＬＥＤを点灯、或いは点滅させることにより、発光した前記ＬＥＤが見え隠れするように構成したことを特徴とする請求項１又は２に記載の装飾体揺動ユニット。
【請求項４】
請求項１乃至３の何れか一項に記載の装飾体揺動ユニットを備えたことを特徴とする遊技盤。
【請求項５】
請求項４に記載の遊技盤を備えたことを特徴とするパチンコ遊技機。
【発明の詳細な説明】
【技術分野】
【０００１】
本発明は、パチンコ遊技機を構成する遊技盤面上において装飾体を前後方向へ揺動させることによって遊技進行上特徴的な演出効果を発揮させることができるようにした装飾体揺動ユニット、遊技盤、及びパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
【０００３】
例えば、特許文献１には大当たりになると図柄表示装置の表示内容に連動して役物等の可動部品を前後方向に移動させる技術が開示されている。
また、本出願人の提案に係る特許文献２には、遊技盤の盤面と平行な左右方向へ往復移動する第１可動役物と、遊技盤の前後方向へ往復移動する第２可動役物と、を備えた役物装置が開示されている。これによれば、遊技内容の複雑、高度化に対応した演出を実現することができる。
【０００４】
しかし、何れの従来技術にあっても、ギヤ機構を用いて各可動役物を左右、前後に定速で進退させるため、スピード感、躍動感に欠けるという問題があった。即ち、可動部品はそのままの姿勢を維持したまま前後左右に単純移動するに過ぎず、遊技内容に関わる演出対して、高い多様性、スピード感、躍動感を求める遊技者の要求を十分に満たすには至っていない。このように可動部品の動作内容に更なる多様性が求められているにも関わらず、例えば扇子形状の部品をその要部を中心として前後方向へ回動させるといった意外性を有した揺動動作を実現するための機構はこれまで提案されていない。
【特許文献１】特開平０６−００７５０９号公報
【特許文献２】特願２００５−２１４１９７
【発明の開示】
【発明が解決しようとする課題】
【０００５】
以上のように従来の可動盤面部品は、左右、上下、前後の各方向へ単純に往復移動していたに過ぎず、更なる多様性、意外性を有した動作機構の開発が求められていた。
本発明は上記に鑑みてなされたものであり、遊技盤面上において装飾体を前後方向へ揺動させることによって遊技進行上特徴的な演出効果を発揮させることができるようにした装飾体揺動ユニット、遊技盤、及びパチンコ遊技機を提供することを目的としている。
【課題を解決するための手段】
【０００６】
上記目的を達成するため、請求項１の発明に係る装飾体揺動ユニットは、揺動軸により基端部を前後方向へ揺動自在に軸支された装飾体と、駆動モータと、該駆動モータの出力軸により回転駆動される駆動ギヤと、前記装飾体に設けられ前記駆動ギヤから駆動力を伝達されることにより前記揺動軸を中心として該装飾体を揺動させる従動ギヤと、前記装飾体を後方へ弾性付勢する弾性部材と、を備え、前記駆動ギヤは前記出力軸を中心として軸対称に配置された２つの扇型ギヤ片から成る蝶羽型ギヤであり、前記従動ギヤは前記駆動ギヤの回転時に前記各扇型ギヤ片と交互に噛合・離脱する円弧ギヤであり、前記駆動モータの駆動時に、前記従動ギヤと何れか一方の前記扇型ギヤ片とが噛合している間は前記装飾体は前記弾性部材の付勢力に抗して前方へ定速移動し、前記噛合が解除されたときに前記弾性部材により前記装飾体は後方へ急速に退避するように付勢されることを特徴とする。
【０００７】
複数の扇型ギヤ片から成る扇型ギヤを駆動モータによって一方向へ回転駆動する過程で、装飾体側に設けた従動ギヤは各扇型ギヤ片と交互に噛合、非噛合を繰り返す。従動ギヤが何れかの扇型ギヤ片と噛合して駆動力の伝達を受けている間は装飾体は前方への揺動動作を定速にて行う。一方、従動ギヤが何れの扇型ギヤ片とも噛合してない期間は弾性部材によって後方へ急速に退避させられる。このように定速による前方への突出動作と、急速に行われる後方への退避動作を繰り返すことにより、変化に富んだ特異的な演出効果を発揮させることができる。
【０００８】
請求項２の発明は、請求項１において、前記駆動モータを制御する制御手段と、前記装飾体が後方へ退避したことを検知するセンサを更に備え、前記制御手段は、前記センサが装飾体の退避状態を検知したときに必要に応じて前記駆動モータの駆動を停止することを特徴とする。
装飾体が後方へ退避している期間中駆動モータに対する通電を遮断することにより、モータの焼き付きを防止できる。装飾体を連続して揺動させる場合には駆動ギヤが所要回数回転するのに要する時間だけ駆動モータを通電し、動作終了後に通電を遮断すればよい。
【０００９】
請求項３の発明は、請求項１又は２において、前記装飾体の円弧状の外周縁の外方において、該外周縁との間に所定のギャップを隔てて前方へ庇状に突出した反射面を備え、前記装飾体の後方には該装飾体の外周縁の輪郭に沿った配置にて複数のＬＥＤが配置され、前記装飾体が前後方向へ揺動動作する間に各ＬＥＤを点灯、或いは点滅させることにより、発光した前記ＬＥＤが見え隠れするように構成したことを特徴とする。
装飾体の前後方向への揺動に伴って、その背景に設定されたＬＥＤからなる電飾装置が点灯、点滅することにより、装飾体の外周縁の外側にＬＥＤの発光状態が見え隠れするので、電飾効果を更に高めることができる。
【００１０】
請求項４の発明に係る遊技盤は、請求項１乃至３の何れか一項に記載の装飾体揺動ユニットを備えたことを特徴とする。
請求項５の発明に係るパチンコ遊技機は、請求項４に記載の遊技盤を備えたことを特徴とする。
【発明の効果】
【００１１】
以上のように本発明では、駆動モータの駆動時に、従動ギヤと何れか一方の扇型ギヤ片とが噛合している間は装飾体は弾性部材の付勢力に抗して前方へ定速移動し、噛合が解除されたときに弾性部材により装飾体は後方へ急速に退避するように付勢されるので、遊技盤面上において装飾体を前後方向へ揺動させることによって遊技進行上特徴的な演出効果を発揮させることができる。
【発明を実施するための最良の形態】
【００１２】
以下、本発明を図面に示した実施の形態により詳細に説明する。
図１及び図２は本発明の一実施形態に係るパチンコ遊技機を構成する遊技盤の正面図であり、図１は装飾体開放状態、図２は装飾体閉止状態（退避状態）を示す図である。図３（ａ）及び（ｂ）は本発明の一実施形態にかかるパチンコ遊技機を構成する遊技盤の正面図、及び背面図であり、図４（ａ）及び（ｂ）は本発明の一実施形態に係る装飾体揺動ユニットの構成を示す斜視図、及び分解斜視図であり、図５（ａ）（ｂ）及び（ｃ）は装飾体揺動ユニットの正面図、そのＡ−Ａ断面図、及び要部拡大図である。
【００１３】
この遊技盤１は、パチンコ遊技機本体の正面に配置されて各種盤面部品を搭載する板部材であり、矩形環状の図示しない遊技盤取付け枠の内側に着脱自在に装着される。この遊技盤取付け枠の一側端縁には、遊技盤の前面を覆うガラス板を備えた図示しないガラス扉枠が開閉自在に軸支されている。また、遊技盤の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域２の周囲には、図示しない打球装置から発射された遊技球を遊技領域２の上部に案内したり、アウト球回収口３に案内する外レールＲ１、及び内レールＲ２が設けられている。また、遊技領域２のほぼ中央部の開口４内には、液晶表示装置やＣＲＴ等で構成され、各種の図柄をカラー画像等で変動表示する図柄変動表示装置（可変表示装置）等が配置されている。開口４内に設置される図示しない図柄変動表示装置の下方には、始動入賞口５が配置されていて、始動入賞口５に遊技球が入るたびに、図柄変動表示装置により複数種類の図柄が変動表示され、表示図柄が所定図柄にて停止すると、遊技者に有利な特別遊技状態が発生するようになっている。更に、遊技盤１の遊技領域２には、図示しない多数の遊技釘が突設されており、これらの遊技釘は、遊技球の落下速度を遅くすると共に、落下方向を複雑に変化させて遊技進行上の興趣を高めている。
【００１４】
この実施形態に係る遊技盤１の特徴的な構成は、遊技盤面の前面適所、この例では開口４の上部中央位置に設けた取付け穴１ａ（装着穴６ａ）内に、揺動軸により基端部（下端部）付近を前後方向へ揺動自在に軸支された装飾体（盤面部品）１２とその駆動機構を含む装飾体揺動ユニット１０を配置した点にある。
この例では、遊技盤面の上部に設けた取付け穴１ａ内に固定された黒色の装着枠体６の装着穴６ａ内に、その背面開口側から装飾体揺動ユニット１０を挿着できるように構成されている。即ち、取付け穴１ａ内に固定される装着枠体６は、正面形状が扇形の装着穴６ａを有しており、黒色の装着枠体６の上部後端縁から後方へ向けて突出された透明のドーム板７の内壁によって装飾体揺動ユニット１０の上部外面を支持する。装着枠体６の上部にはコ字状の折り返し部６ｂが設けられ、折り返し部６ｂの上端縁から後方に透明のドーム板７が延びている。図５（ｂ）に示すようにドーム板７の内面と装着枠体６の底板６ｃによって装飾体揺動ユニット１０を支持している。
【００１５】
この装飾体揺動ユニット１０においては、装飾体１２は開扇した状態の扇子形状を有しており、扇子の要部（基端部）１２ａ付近を揺動軸によって前後方向へ揺動（回動）するように支持されている。なお、装飾体１２と、この装飾体１２を支持する支持部材１３とは、揺動装飾体１１を構成している。
即ち、装飾体揺動ユニット１０は、水平方向へ延びる揺動軸１５により装飾体１２の要部（基端部）１２ａ付近を前後方向へ揺動自在に軸支された揺動装飾体１１（装飾体１２、支持部材１３）と、支持部材１３の裏面に取り付けられるプリント基板１３ａと、駆動モータ１６と、駆動モータ１６の出力軸１６ａにより回転駆動される駆動ギヤ１７と、揺動装飾体１１側に固定されて駆動ギヤ１７から駆動力を伝達されることにより揺動軸１５を中心として揺動装飾体を前後方向へ揺動させる従動ギヤ１８と、揺動装飾体１１を後方へ弾性付勢する弾性部材１９と、ケーシング２０と、を備えている。
従動ギヤ１８と何れか一方の扇型ギヤ片１７ａとが噛合している間は揺動装飾体１１は弾性部材の付勢力に抗して前方へ定速移動し、噛合が解除されたときに弾性部材１９により揺動装飾体１１は後方へ急速に復帰するように付勢される。
【００１６】
この実施形態では、扇子形状を有した支持部材１３の前面に対して扇子形状を有した装飾体１２が着脱自在に取り付けられており、揺動軸１５はこの支持部材１３の下部に設けられている。揺動軸１５は、ケーシング２０の下部から前方に突出した連結片２１に設けた軸孔２１ａによって軸支される。従動ギヤ１８は、この例では支持部材１３の背面側に固定されており、従動ギヤ１８のギヤ部１８ａは駆動ギヤ１７と間欠的に噛合して駆動力の伝達を受けるように構成されている。
ケーシング２０は、ドーム形の天板２２と、背面板２３と、背面板２３の下部から前方へ突出した連結片２１と、を備えている。背面板２３の前面にはＬＥＤ２５、その他の回路部品を搭載したプリント基板２４、プリント基板用の透明カバー２６が順次固定されると共に、背面板２３の他の部位には駆動モータ１６が固定される。
【００１７】
駆動ギヤ１７はモータの出力軸１６ａを中心として軸対称に配置された２つの扇型ギヤ片１７ａから成る蝶羽型ギヤであり、従動ギヤ１８は駆動ギヤ１７の回転時に各扇型ギヤ片１７ａと交互に噛合・離脱する単一の円弧ギヤである。従って、従動ギヤ１８は間欠的に何れかの扇型ギヤ片１７ａと噛合することにより間欠的に駆動され、従動ギヤ１８に対して何れかの扇型ギヤ片から駆動力が伝達されている期間中は揺動軸１５を介して支持部材１３に駆動力が伝達されるため、支持部材１３に固定された装飾体１２は揺動軸１５を中心として前方へ突出移動する。この前方への突出動作は定速にて行われる。
【００１８】
一方、２つの扇型ギヤ片１７ａの間にはギヤが存在しない箇所があるため、従動ギヤ１８のギヤ部１８ａがギヤが扇型ギヤ片から離脱することにより駆動力が伝達されなくなり、この時点で弾性部材１９からの戻し力により支持部材１３及び装飾体１２は揺動軸１５を中心として後方へ勢いよく戻される。従って、装飾体１２が比較的ゆっくりと定速で前方へ揺動する動作と、急速に後方へ退避する動作とが対照的となり、意外性を伴った演出によって興趣を高めることができる。
【００１９】
図６は本発明の装飾体揺動ユニットの制御系（制御手段３０）を示すブロック図であり、主制御基板３１が演出制御基板３２に対して演出制御信号を送信すると、演出制御基板３２が装飾体１２の動作を決定し、演出制御基板３２がランプ制御基板３３にランプ制御信号を送信すると、ランプ制御基板３３が駆動モータ１６に対して制御信号を送信する。
【００２０】
次に、図７（ａ）（ｂ）及び（ｃ）は本発明の装飾体揺動ユニットの動作説明図であり、図７（ａ）に示す未作動状態では一方の扇型ギヤ片１７ａと従動ギヤ１８のギヤ部１８ａとが所定の位置関係にて噛合しているため、支持部材１３及び装飾体１２はほぼ垂直に起立した状態を保持している。遊技内容に特別の変化が生じない定常時においてはこの未作動状態で駆動モータ１６が停止しているために、装飾体１２もこの姿勢にて停止している。
次に、図７（ｂ）に示す前方への揺動状態では、駆動モータ１６に通電して駆動ギヤ１７を矢印方向へ回転させることにより、揺動軸１５を中心として支持部材１３及び装飾体１２が弾性部材１９の付勢力に抗して所定角度前方へ揺動する。この揺動動作は定速で行われる。
【００２１】
一方、駆動ギヤ１７の回動角度が一定値以上に進行すると、それまで噛合していた扇形ギヤ片１７ａと従動ギヤ１８との噛合が外れるため、弾性部材１９の力によって揺動装飾体１１（装飾体１２、及び支持部材１３）は後方へ勢いよく付勢される（（ｃ））。この時、急速に後方へ退避する揺動装飾体１１を受け止めて緩衝作用を発揮させるためのパッドを背面板２３の前面適所に配置する。また、揺動装飾体１１が（ｃ）に示した退避位置に移行したことを検知する図示しないセンサを背面板２３、その他の適所に配置し、このセンサが退避位置に移行したことを検知したときに駆動モータ１６の作動を停止させるように制御してもよい。これによりモータの焼き付きを防止できる。また、揺動装飾体１１を連続して動作させたい場合には駆動モータへの通電を継続して駆動ギヤ１７を所定回数回転させ続けるように制御する。
【００２２】
次に図８（ａ）（ｂ）に基づいて背面板２３の前面に配置したプリント基板２４の前面に円弧状に配置した複数のＬＥＤ２５の点灯（点滅）と、揺動装飾体１１の揺動との協働によって演出される電飾効果について説明する。
ケーシング２０を構成するドーム形の天板２２は、揺動装飾体１１の円弧状外周縁の上方（外方）において、該外周縁との間に所定のギャップを隔てて前方へ庇状（オーバーハング状）に突出しており、天板２２の下面は黒塗りの反射面２２ａとなっている。更に、装飾体１２の後方に位置するプリント基板２４の前面には、装飾体１２の円弧状外周縁に沿った配置にて複数のＬＥＤ２５が配置され、揺動装飾体が前後方向へ揺動動作する間に各ＬＥＤ２５を点灯、或いは点滅させることにより、発光したＬＥＤが装飾体１２の円弧状の外周縁によって見え隠れするように構成されている。
【００２３】
即ち、図８（ａ）は図６（ａ）に示した未作動状態に相当しており、この状態ではＬＥＤ２５から前方へ出射された光Ｌ１は揺動装飾体１１の背面上部によって遮蔽されて前方へ出射されないため、盤面の前方からＬＥＤ２５の発光を直接視認することはできない。但し、ＬＥＤ２５から斜め上方へ出射された光Ｌ２は天板２２の下面の反射面２２ａにて反射されて斜め下向きに前方へ出射されるため、この反射光は前方から視認することができる。
つまり、この実施形態によれば、揺動装飾体の揺動位置の違いに応じてＬＥＤからの発光を直接視認できる場合と、反射面からの反射光のみが見える場合との両パターンを現出させることができる。
【００２４】
次に、図８（ｂ）は図６（ｂ）に示した揺動装飾体の前方への突出状態、及び（ｃ）に示した後方への退避状態に相当しており、これらの場合には揺動装飾体１１の円弧状上端縁がＬＥＤ２５から前方へ出射される光Ｌ１の経路から下方へ退避した状態となっているため、遊技盤面の前方からＬＥＤの発光を直接視認することができる。一方、ＬＥＤ２５から斜め上方へ出射された光Ｌ２は天板２２の下面の反射面２２ａにて反射されて斜め下向きに前方へ出射されるため、この反射光は前方から視認することができる。
このように揺動装飾体１１が前後方向へ揺動するだけなく、その背面側に配置されたＬＥＤからの光が見え隠れするため、揺動装飾体の動作に伴って電飾効果が発揮され、変化に富んだ演出効果を得ることができる。
【００２５】
次に、図５（ｂ）（ｃ）に示したように装着枠体６の上部前端縁には黒色の折り返し部６ｂが設けられており、この折り返し部６ｂの上端部から後方へ連設された透明のドーム板７の前端部７ａは遊技盤１よりも前方に位置しているために前方から視認可能となっている。更に、ドーム板の前端部７ａの内側には装着枠体６の円弧状の天井面に沿ってフレキシブル基板８ａが円弧状に配置され、このフレキシブル基板８ａ上にはＬＥＤ８ｂが所定のピッチにて配置されている。これらのＬＥＤ８ｂからの発光光は、黒色の折り返し部６ｂの後端縁に沿って配置された透明なドーム板の前端部７ａから上向きに出射されるため、装着枠体６の内側に位置する揺動装飾体１１側のＬＥＤ２５からの発光による演出と併せて重畳的に電飾効果を発揮することができる。
また、支持部材１３の裏面に取り付けられるプリント基板１３ａの前面にもＬＥＤ１３ａ’が所定の配列にて配置されており、装飾体１２に設けた図示しない電飾図柄（透光部分）を背面側から照明することにより電飾図柄を発光させるように構成している。
【００２６】
なお、パチンコ遊技機の詳細な構成については図示説明していないが、本願発明の技術的範囲中にパチンコ遊技機、及び遊技盤が含まれることに疑いがない。
【図面の簡単な説明】
【００２７】
【図１】本発明の一実施形態に係るパチンコ遊技機を構成する遊技盤の装飾体開放状態を示す正面図である。
【図２】本発明の一実施形態に係るパチンコ遊技機を構成する遊技盤の装飾体閉止状態を示す正面図である。
【図３】（ａ）及び（ｂ）は本発明の一実施形態にかかるパチンコ遊技機を構成する遊技盤の正面図、及び背面図である。
【図４】（ａ）及び（ｂ）は本発明の一実施形態に係る装飾体揺動ユニットの構成を示す斜視図、及び分解斜視図である。
【図５】（ａ）（ｂ）及び（ｃ）は装飾体揺動ユニットの正面図、そのＡ−Ａ断面図、及び要部拡大図である。
【図６】本発明の装飾体揺動ユニットの制御系（制御手段）を示すブロック図である。
【図７】（ａ）（ｂ）及び（ｃ）は本発明の装飾体揺動ユニットの動作説明図である。
【図８】（ａ）及び（ｂ）は背面板側に円弧状に配置した複数のＬＥＤの点灯（点滅）と、揺動装飾体の揺動との協働によって演出される電飾効果についての説明図である。
【符号の説明】
【００２８】
１…遊技盤、２…遊技領域、３…アウト球回収口、４…開口、５…始動入賞口、６…装着枠体、６ａ…装着穴、６ｂ…折り返し部、６ｃ…底板、７…ドーム板、７ａ…前端部、８ａ…フレキシブル基板、８ｂ…ＬＥＤ、１０…装飾体揺動ユニット、１１…揺動装飾体、１２…装飾体、１３…支持部材、１３ａ…プリント基板、１３ａ’…ＬＥＤ、１５…揺動軸、１６…駆動モータ、１６ａ…出力軸、１７…駆動ギヤ、１７ａ…扇型ギヤ片、１８…従動ギヤ、１８ａ…ギヤ部、１９…弾性部材、２０…ケーシング、２１…連結片、２１ａ…軸孔、２２…天板、２２ａ…反射面、２３…背面板、２４…プリント基板、２５…ＬＥＤ、２６…透明カバー、３０…制御手段、３１…主制御基板、３２…演出制御基板、３３…ランプ制御基板。
【図１】
2008043459.tif 000003
【図２】
2008043459.tif 000004
【図３】
2008043459.tif 000005
【図４】
2008043459.tif 000006
【図５】
2008043459.tif 000007
【図６】
2008043459.tif 000008
【図７】
2008043459.tif 000009
【図８】
2008043459.tif 000010